(57)【要約】【課題】  内部に遺骨が収納される納骨室（納骨堂）を備えた墓の下部構造について、納骨室以外の空間が形成されているにもかかわらず耐震強度が充分に高められるようにする。【解決手段】  基礎の上に立設された外柵１の内部に側壁２１，２２で納骨室２が区画形成され、外柵１の内部の納骨室２の周囲に空間Ｓが形成されている。外柵１，側壁２の一方または双方の空間Ｓに対面する面に補強用石材５が積層固定されている。【選択図】図１
0003160272.tif 000002
【実用新案登録請求の範囲】
【請求項１】
基礎の上に立設された外柵の内部に側壁で納骨室が区画形成され、外柵の内部の納骨室の周囲に空間が形成された墓の下部構造において、外柵，側壁の一方または双方の空間に対面する面に補強用石材が積層固定されていることを特徴とする墓の下部構造。
【請求項２】
請求項１の墓の下部構造において、補強用石材は空間の全容積に充満されていることを特徴とする墓の下部構造。
【請求項３】
請求項１の墓の下部構造において、補強用石材は外柵，側壁への積層面に直交する方向に配置された補助補強用石材に固定されていることを特徴とする墓の下部構造。
【考案の詳細な説明】
【技術分野】
【０００１】
本考案は、内部に遺骨が収納される納骨室（納骨堂）を備えた墓の下部構造に係る技術分野に属する。
【背景技術】
【０００２】
一般的な墓では、基礎の上に立設された外柵の内部に側壁で納骨室が区画形成される。そして、外柵，側壁等からなる墓の下部構造は、上部に重量のある墓石（さお，上台，中台，芝台等）を支えるためにある程度の底面積を有する容積をもって構築される。この結果、外柵の内部には、納骨室以外にかなりの空間が形成されている。
【０００３】
墓の下部構造に形成される納骨室以外の空間は、墓石を支える耐荷重強度にはあまり支障がないものの墓全体の耐震強度を著しく低下させることになる。このため、納骨室以外の空間が形成された墓の下部構造の耐震強度を高める技術の開発が要望されるようになってきている。
【０００４】
従来、納骨室以外の空間が形成された墓の下部構造の耐震強度を高める技術としては、例えば、特許文献１に記載のものが知られている。
【０００５】
特許文献１には、基礎の上に立設された外柵の内部に側壁で納骨室が区画形成され、外柵の内部の納骨室の周囲に形成された空間に砂利を充満させた墓の下部構造が記載されている。
【０００６】
特許文献１に係る墓の下部構造は、空間を砂利で充満させることで実質的に空間を消失させて耐震強度を高めようとするものである。
【先行技術文献】
【特許文献】
【０００７】
【特許文献１】特開２００７−２０４９４２号公報
【考案の概要】
【考案が解決しようとする課題】
【０００８】
特許文献１に係る墓の下部構造では、外柵，側壁等の石材からなる剛構造物の内部に砂利からなる柔構造物が配置されてある程度の免震機能を備えることができるものの、震動で砂利が揺動してしまうことから、期待されるほど充分に耐震強度を高めることができないという問題点がある。
【０００９】
本考案は、このような問題点を考慮してなされたもので、納骨室以外の空間が形成されているにもかかわらず耐震強度が充分に高められた墓の下部構造を提供することを課題とする。
【課題を解決するための手段】
【００１０】
前述の課題を解決するため、本考案に係る墓の下部構造は、実用新案登録請求の範囲の各請求項に記載の手段を採用する。
【００１１】
即ち、請求項１では、基礎の上に立設された外柵の内部に側壁で納骨室が区画形成され、外柵の内部の納骨室の周囲に空間が形成された墓の下部構造において、外柵，側壁の一方または双方の空間に対面する面に補強用石材が積層固定されていることを特徴とする。
【００１２】
この手段では、外柵，側壁に補強用石材が積層固定されることで、外柵，側壁の厚さが増加されて構造耐力が強化される。
【００１３】
また、請求項２では、請求項１の墓の下部構造において、補強用石材は空間の全容積に充満されていることを特徴とする。
【００１４】
この手段では、補強用石材が空間の全容積に充満されることで、空間が消失されて構造耐力がより強化される。
【００１５】
また、請求項３では、請求項１の墓の下部構造において、補強用石材は外柵，側壁への積層面に直交する方向に配置された補助補強用石材に固定されていることを特徴とする。
【００１６】
この手段では、補強用石材が外柵，側壁への積層面に直交する方向に配置された補助補強用石材に固定されることで、補助補強用石材が基礎の地中梁の格好となって構造耐力がより強化される。
【考案の効果】
【００１７】
本考案に係る墓の下部構造は、外柵，側壁に補強用石材が積層固定されることで、外柵，側壁の厚さが増加されて構造耐力が強化されるため、納骨室以外の空間が形成されているにもかかわらず耐震強度を充分に高めることができる効果がある。
【００１８】
さらに、請求項２として、補強用石材は空間の全容積に充満されることで、空間が消失されて構造耐力がより強化されるため、納骨室以外の空間が形成されているにもかかわらず耐震強度をより充分に高めることができる効果がある。
【００１９】
さらに、請求項３として、補強用石材が外柵，側壁への積層面に直交する方向に配置された補助補強用石材に固定されることで、補助補強用石材が基礎の地中梁の格好となって構造耐力がより強化されるため、納骨室以外の空間が形成されているにもかかわらず耐震強度をより充分に高めることができる効果がある。
【図面の簡単な説明】
【００２０】
【図１】本考案に係る墓の下部構造を実施するための第１例の墓の分解斜視図である。
【図２】図１の組立状態図である。
【図３】図１の横断面図である。
【図４】図２の縦断面図である。
【図５】本考案に係る墓の下部構造を実施するための第２例の断面図である。
【図６】本考案に係る墓の下部構造を実施するための第３例の断面図である。
【考案を実施するための形態】
【００２１】
以下、本考案に係る墓の下部構造を実施するための形態を図面に基づいて説明する。
【００２２】
図１〜図４は、本考案に係る墓の下部構造を実施するための形態の第１例を示すものである。
【００２３】
第１例では、外柵１の一部を利用して納骨室２を構成するものを示してある。
【００２４】
外柵１は、前外柵１１，後外柵１２，右外柵１３，左外柵１４の石材からなる。前外柵１１，後外柵１２，右外柵１３，左外柵１４は、平面形状が長方形になるように組まれて地面に打設されたコンクリート等からなる平盤状の基礎３の上に立設され、さお４１，上台４２，中台４３，芝台４４からなる墓石４の底面積（最下部の芝台４４の底面積）よりもかなり広い底面積を有するように構築されている。
【００２５】
納骨室２は、外柵１の内部の中央に右側壁２１，左側壁２２と外柵１の前外柵１１，後外柵１２とによって囲まれる直方体の空間構造として構成されている。即ち、右側壁２１，左側壁２２と平面形状が長方形に組まれることになる前側壁，後側壁については、外柵１の前外柵１１，後外柵１２が兼用されている。
【００２６】
外柵１の内部の納骨室２の周囲の空間Ｓには、全容積について補強用石材５が充満されている。
【００２７】
補強用石材５は、外柵１の右外柵１３，左外柵１４と納骨室２の右側壁２１，左側壁２２とに平行な２枚重ねの長方形の石材からなるもので、外柵１の右外柵１３，左外柵１４と納骨室２の右側壁２１，左側壁２２とに積層された格好となって、外柵１の右外柵１３，左外柵１４と納骨室２の右側壁２１，左側壁２２と一方に固定されている。固定手段としては、接着材塗布や連結金具による掛止めや積層面の凹凸構造による係合等が選択される。なお、追加的に、２枚重ねの補強用石材５同士を固定したり、補強用石材５の端面を外柵１の前外柵１１，後外柵１２に固定したりすることもできる。
【００２８】
なお、補強用石材５の上部は、石材の踏板６で覆われて墓石４を支えている。
【００２９】
第１例によると、外柵１と納骨室２の右側壁２１，左側壁２２との厚さが増加されて構造耐力が強化されることになるため、納骨室２以外の空間Ｓが形成されているにもかかわらず耐震強度を充分に高めることができる。この外柵１と納骨室２の右側壁２１，左側壁２２との厚さの増加は、補強用石材５の固定によって長期にわたり確実に保持される。この結果、充分な耐震強度を長期に維持する耐久性が確保される。また、外柵１の内部の納骨室２の周囲の空間Ｓが補強用石材５の充満で消失され、外柵１の内部が納骨室２の空間構造を除いて全体が石材からなる剛構造物として構築されることで、構造耐力がより強化され耐震強度がより充分に高められる。
【００３０】
さらに、補強用石材５が外部から視認されない部分に位置して美観の確保が要求されないため、安価な石材を選択することができる。この結果、構築コストを低減することができる。
【００３１】
図５は、本考案に係る墓の下部構造を実施するための形態の第２例を示すものである。
【００３２】
第２例は、前述の第１例の外柵１について、前外柵１１，後外柵１２と右外柵１３，左外柵１４とが柱材７を介して組まれている。そして、外柵１の右外柵１３，左外柵１４に積層される補強用石材５に柱材７に係合する係合部５１を形成して、補強用石材５と柱材７とを係合させている。
【００３３】
第２例によると、第１例と同様の作用，効果が奏されることに加えて、外柵１と補強用石材５との固定が柱材７を介し強化されて構造耐力がさらに強化されるため、耐震強度をさらに充分に高めることになる。
【００３４】
図６は、本考案に係る墓の下部構造を実施するための形態の第３例を示すものである。
【００３５】
第３例は、前述の第１例の補強用石材５について、空間Ｓの全容積を充満しない薄い石材としされている。そして、両補強用石材５の間には、補強用石材５の積層面に直交する方向に複数枚の補助補強用石材８が間隔を介して配置されている。
【００３６】
補助補強用石材８は、長方形の石材からなるもので、前述の第１例の手段等によって補強用石材５に固定されている。また、外柵１の前外柵１１，後外柵１２に積層されることになる補助補強用石材８については、外柵１の前外柵１１，後外柵１２にも固定することができる。
【００３７】
第３例によると、空間Ｓの消失以外の点において第１例と同様の作用，効果が奏されることに加えて、補強用石材５を削減して構築コストを低減することができる。
【００３８】
さらに、一部に空間Ｓが残存するものの、補助補強用石材８が基礎の地中梁の格好となって構造耐力が強化されるため、耐震強度を充分に高めることができる。
【００３９】
以上、図示した各例の外に、納骨室２が前側壁，後側壁を備えたものにも適用することができる。
【００４０】
さらに、第３例について、補助補強用石材８を井桁形状に組むことも可能である。
【００４１】
さらに、第３例について、残存している空間Ｓを補助補強用石材８を充満させることも可能である。
【産業上の利用可能性】
【００４２】
本考案に係る墓の下部構造は、納骨室を遺骨が収納以外の他の用途に使用する石碑，記念塔等にも適用することが可能である。
【符号の説明】
【００４３】
１            外柵
１１          前外柵
１２          後外柵
１３          右外柵
１４          左外柵
２            納骨室
２１          右側壁
２２          左側壁
３            基礎
４            墓石
５            補強用石材
８            補助補強用石材
Ｓ            空間
【図１】
0003160272.tif 000003
【図２】
0003160272.tif 000004
【図３】
0003160272.tif 000005
【図４】
0003160272.tif 000006
【図５】
0003160272.tif 000007
【図６】
0003160272.tif 000008